(57)【要約】【課題】内装解体材の掻き集め作業及び搬出作業を改善することにより、作業者の負担を軽減し、作業能率を向上することができ、解体工事費を削減できる内装解体材の回収方法及びこれに用いる回収シートを提供することである。【解決手段】建築物１の内装材の解体前に内装材を解体する室内２の床４に折り畳み可能な回収シート４を敷設する第１工程と、室内２の内装材の解体により発生して回収シート４上に散乱した内装解体材５を中央部分に集め、且つ該回収シート４の四隅を折り畳んで連結することによって内装解体材５を包み込む第２工程と、該内装解体材５を包み込んだ回収シート４を重機６により屋外へ搬出する第３工程と、内装解体材廃棄場にて回収シート４から内装解体材５を排出する第４工程と、を具備してなることを特徴とする内装解体材の回収方法。【選択図】      図５
2004360203.tif 000002
【特許請求の範囲】
【請求項１】
建築物の内装材の解体により発生する内装解体材を回収し前記建築物の屋外に搬出する内装解体材の回収方法において、
前記建築物の内装材の解体前に内装材を解体する室内の床に折り畳み可能な回収シートを敷設する第１工程と、
前記室内の内装材の解体により発生して前記回収シート上に散乱した前記内装解体材を前記回収シートの周囲を持ち上げることによって中央部分に集め、且つ該回収シートの四隅を折り畳んで連結することによって、前記内装解体材を包み込む第２工程と、
該内装解体材を包み込んだ回収シートを、重機により前記室内から前記建築物の屋外へ搬出する第３工程と、
内装解体材廃棄場にて前記内装解体材を包み込んだ回収シートから前記内装解体材を排出する第４工程と、
を具備してなることを特徴とする内装解体材の回収方法。
【請求項２】
建築物の内装材の解体により発生する内装解体材を包み込んで回収して前記建築物の屋外に搬出するための回収シートが、
中央部に開口が設けられた折り畳み可能な略方形状のシート本体と、
該シート本体の裏面に設けられ、該シート本体の四隅の頂部をそれぞれ内側に折り畳むことによって生じた各隅部における２つの折り畳み辺を連結する隅部連結具と、
前記シート本体の開口に設けられて、前記内装解体材を前記シート本体から排出するための開閉可能な筒状の排出口と、
前記シート本体に一端が接続された複数の紐状物と、
前記シート本体に接続されて当該シート本体の外側へ突出した複数の吊下げ具と、
を具備してなることを特徴とする回収シート。
【発明の詳細な説明】
【０００１】
【発明の属する技術分野】
本発明は、建築物の内装材の解体により発生する内装解体材の回収方法及びこれに用いる回収シートに関するものである。
【０００２】
【従来の技術】
戸建住宅などの建築物の解体工事の内容は、近年大幅な変化を遂げている。以前は、解体工事業界の過当競争による能率優先のため、分別解体を行わず建築物全体をまとめて解体する方法が主流であった。しかし、平成１４年５月に施行された建設リサイクル法により、調査から工事届出、工事内容、廃棄物処理まで詳細に定められ、解体工事の内容は一変した。分別解体が義務付けられ、瓦などの屋根葺き材や石膏ボードなどの内装材等は、それぞれ工程を独立させ作業者の手作業により解体を行なう必要が生じた。
【０００３】
分別解体作業は重機による作業と作業者による手作業とからなり、このうち手作業は作業者がバール等の手工具のみで複合状態の対象物の解体を全て行う作業である。この手工具により取り外された建材は、地上及び床上に散乱した状態となり、作業者が掻き集め抱きかかえ屋外のトラック等の搬送車まで搬出していた。このように、分別解体作業は、作業者の肉体を駆使した労働作業が中心である。分別解体作業における最大の課題は、重労働を伴う作業者の手作業による解体、すなわち手解体のうち、特に内装解体工程の手作業を改善することである。
【０００４】
内装解体工程の主な内容は石膏ボードの手解体である。石膏ボードは多数の釘にて建築物の構造体に打ち付けられ固定されているので、石膏ボードの取り壊し取り外し作業は、通常、作業者が石膏ボードにて構成された壁面等全体を叩き割ることにより行う。
【０００５】
また、解体工事において、解体する建築物全体の周りをシートで包囲することによって、粉塵などの外部への飛散を防止する工法が用いられることもあった（例えば、特許文献１参照）。
【０００６】
【特許文献１】
特開２００２−４７８１２号公報（第１−３頁、図１、図５）
【０００７】
【発明が解決しようとする課題】
しかしながら、石膏ボードはその物性上、バールで叩き割られると粉々に砕け散り床上に散乱する。石膏ボード解体材は大小様々な破片や粉塵となるので、石膏ボード解体材を掻き集める作業及び掻き集めた石膏ボード解体材を抱きかかえ屋外へ搬出する作業は困難であり労力と時間とを要するため、作業者の負担は大きい。また、これらの作業は地道な作業であり、作業者の精神的な部分に依存する比率が高いため、作業能率及び作業達成度は低いものである。一方、石膏ボードの取り壊し取り外し作業においては、作業完了時の品質が問われないため、作業者の精神的負担は軽く作業能率及び作業達成度は良い。また、石膏ボード解体材の他に、木材、断熱材、金属、プラスチック等も解体工程における解体材として発生し、これらの搬出作業も作業者の負担は大きい。
【０００８】
内装解体工程における、石膏ボードの取り壊し取り外し作業以外の、石膏ボード解体材等の掻き集め作業及び搬出作業を改善することにより、作業者の負担を軽減することができるとともに、作業能率を向上することができる。また、石膏ボード解体材等の掻き集め作業及び搬出作業の作業達成度を向上させることに従い、解体材の分別率が向上し、より一層の分別解体の遵守につながる。その結果、解体材処理費の削減を始めとする解体工事費全体の削減を達成することができる。
【０００９】
本発明は、上記した事情や問題に鑑みてなされたものであり、内装材の解体により発生する内装解体材である石膏ボード解体材等の掻き集め作業及び搬出作業を改善することにより、作業者の負担を軽減することができ、作業能率を向上することができるとともに、解体材処理費を始めとする解体工事費全体を削減することができる新たな内装解体材の回収方法及びこれに用いる回収シートを提供することを目的とする。
【００１０】
上記目的を達成するために、請求項１記載の内装解体材の回収方法は、建築物の内装材の解体により発生する内装解体材を回収し前記建築物の屋外に搬出する内装解体材の回収方法において、前記建築物の内装材の解体前に内装材を解体する室内の床に折り畳み可能な回収シートを敷設する第１工程と、前記室内の内装材の解体により発生して前記回収シート上に散乱した前記内装解体材を前記回収シートの周囲を持ち上げることによって中央部分に集め、且つ該回収シートの四隅を折り畳んで連結することによって、前記内装解体材を包み込む第２工程と、該内装解体材を包み込んだ回収シートを、重機により前記室内から前記建築物の屋外へ搬出する第３工程と、内装解体材廃棄場にて前記内装解体材を包み込んだ回収シートから前記内装解体材を排出する第４工程と、を具備してなることを特徴としている。
【００１１】
請求項２記載の回収シートは、建築物の内装材の解体により発生する内装解体材を包み込んで回収して前記建築物の屋外に搬出するための回収シートが、中央部に開口が設けられた折り畳み可能な略方形状のシート本体と、該シート本体の裏面に設けられ、該シート本体の四隅の頂部をそれぞれ内側に折り畳むことによって生じた各隅部における２つの折り畳み辺を連結する隅部連結具と、前記シート本体の開口に設けられて、前記内装解体材を前記シート本体から排出するための開閉可能な筒状の排出口と、前記シート本体に一端が接続された複数の紐状物と、前記シート本体に接続されて当該シート本体の外側へ突出した複数の吊下げ具と、を具備してなることを特徴としている。
【００１２】
【発明の実施の形態】
以下、本発明の実施の形態に係る内装解体材の回収方法について、図面に基づいて説明する。該内装解体材の回収方法は、図１から図５に示すように、解体する建築物１の内装材の解体前に室内２の床３に回収シート４を敷設する第１工程と、内装材の解体により発生した内装解体材５を回収シート４に包み込む第２工程と、前記内装解体材５を包み込んだ回収シート４を重機６により室内２から屋外へ搬出する第３工程と、前記内装解体材５を包み込んだ回収シート４から内装解体材５を排出する第４工程と、を具備してなる方法である。
【００１３】
前記内装解体材の回収方法における第１工程は、解体する建築物１の内装材の解体前に内装材を解体する室内２の床３に折り畳み可能な回収シート４を敷設する工程である。撤去または改造するために解体する戸建住宅などの建築物１の室内や廊下等の壁で囲まれた区画（本明細書においては室内２と記する。）に対して、その室内２の内装材の解体前に、作業者が室内２の床３に、図１に示すように、厚い布等からなる折り畳み可能な略平面状の回収シート４を広げて敷設する。この際、室内２の床３を回収シート４にて隙間なく敷き詰めることが好ましいが、床３に回収シート４が敷設されない部分が残ってもよい。なお、該回収シート４は広げた状態では室内２の床３全面を敷き詰めることができるほど大きいが、折り畳むことによりコンパクト化し、作業者が一人で回収シート４を室内２に運び入れる。
【００１４】
前記内装解体材の回収方法における第２工程は、前記室内２の内装材の解体により発生して前記回収シート４上に散乱した内装解体材である石膏ボード解体材５等の内装解体材を回収シート４の周囲を持ち上げることによって中央部分に集め、且つ該回収シート４の四隅を折り畳んで連結することによって、石膏ボード解体材５等を回収シート４に包み込む工程である。前記第１工程にて床３に回収シート４を敷設した各室内２の内装材の解体を行う。室内２の壁面、天井等の内装材は主に石膏ボードから構成され、該石膏ボードは建築物１の構造体に多数の釘にて打ち付けられ固定されているので、室内２の壁面及び天井等の全体を、作業者がバール等の手道具を用いて叩き割り取り壊し、取り外し、手作業により解体を行う。石膏ボードはその物性上、バール等で叩き割られると粉々に砕け散り、破片は大小様々なものとなり散乱し、細かなものは粉塵として浮遊する。解体されて破片や粉塵となった石膏ボード解体材５は内装解体材として、図２に示すように、前記床３に敷設された前記回収シート４上に散乱する。室内２の石膏ボードを全て取り外した後、回収シート４が敷設されていない床３に散乱した石膏ボード解体材５は、手作業により作業者が回収シート４上に移し、また、石膏ボードの粉塵が回収シート４上へ落下するのを待つ。このように、できる限り多くの石膏ボード解体材５を回収シート４上に集める。
【００１５】
作業者が該回収シート４の周囲を持ち上げることによって、該回収シート４上に散乱した又は集めた石膏ボード解体材５を回収シート４の中央部分に集めるようにしながら、図３に示すように、該回収シート４の四隅を中央部分に引き寄せる。次に、該回収シート４の四隅を折り畳んで連結することによって、図４に示すように、石膏ボード解体材５を回収シート４に包み込む。なお、図３及び図４においては、室内２や床３は図示せず省略してある。なお、石膏ボード解体材５が容易にこぼれ出ない程度に、石膏ボード解体材５を包み込んだ回収シート４を密閉することが好ましい。該石膏ボード解体材５を包み込んだ回収シート４は、前記建築物１の屋外に作業者が搬出せず、そのまま前記室内２に放置しておく。なお、全ての室内２に回収シート４を敷設する必要はなく、取り外した石膏ボード解体材５を作業者が隣室等の室内２に敷設した回収シート４上に運び移してもよい。また、石膏ボード解体材５の他に、前記建築物１の解体において発生する木材、断熱材、金属、プラスチック等の内装解体材を、回収シート４に包み込んでもよい。木材、断熱材、金属、プラスチック等の内装解体材を、石膏ボード解体材５と共に同じ回収シート４に包み込んでもよいが、木材、断熱材、金属、プラスチック等の内装解体材を分別し、石膏ボード解体材５とは別の回収シート４に包み込んでもよい。
【００１６】
前記内装解体材の回収方法における第３工程は、前記石膏ボード解体材５等を包み込んだ回収シート４を、重機６により前記室内２から建築物１の屋外へ搬出する工程である。前記第２工程において建築物１の全ての室内２について内装材を解体した後、前記建築物１の外壁等の外装材及び構造体の解体を重機６により行う。該重機６による解体の際に、図５に示すように、室内２に放置された石膏ボード解体材５等を包み込んだ回収シート４が建築物１の屋外から確認できるようになる。１つまたは複数の室内２から石膏ボード解体材５等を包み込んだ回収シート４を屋外に搬出するために充分な開口が重機６による解体により生じた後、該重機６のアーム７先端のフォークグラブ８等を用いて石膏ボード解体材５等を包み込んだ回収シート４を吊り下げ、屋外に搬出する。このように重機６による建築物１の外装材及び構造体の解体に合わせて、石膏ボード解体材５等を包み込んだ全ての回収シート４を屋外に順次搬出する。従来のように散乱した石膏ボード解体材５等の内装解体材を作業者が抱きかかえて屋外に搬出せず、重機６により各室内２毎に発生した石膏ボード解体材５等の内装解体材を包み込んだ回収シート４を屋外に搬出する。
【００１７】
屋外に搬出した石膏ボード解体材５等を包み込んだ回収シート４は、重機６により、トラック等の搬送車に直接、積載してもよいし、建築物１の敷地内等に仮置きをしてもよい。回収シート４に石膏ボード解体材５等は包み込まれており、例え石膏ボード解体材５等を包み込んだ回収シート４が転倒してもその内容物が容易に外にこぼれ出ない。回収シート４に包み込んだ内容物が石膏ボード解体材５のみであっても他の解体材と混在する恐れがないので、石膏ボード解体材５のみを包み込んだ回収シート４を他の解体材とともに搬送車に混載してもよい。また、周囲の環境に悪影響を及ぼすことはないので、石膏ボード解体材５等を包み込んだ回収シート４を建築物１の敷地内等に仮置きをしてもよい。
【００１８】
前記内装解体材の回収方法における第４工程は、内装解体材廃棄場にて前記石膏ボード解体材５等の内装解体材を包み込んだ回収シート４から、石膏ボード解体材５等を排出する工程である。前記建築物１の解体現場内又は付近に駐車してある廃棄物運搬車、もしくは前記搬送車によって搬送された廃棄物処理施設内の廃棄材置き場等の所定の内装解体材廃棄場にて、石膏ボード解体材５等を包み込んだ回収シート４から、石膏ボード解体材５等を排出し廃棄する。所定の内装解体材廃棄場にて回収シート４の包み込みを解き、回収シート４内の石膏ボード解体材５等を排出することにより、石膏ボード解体材５等を廃棄する。回収シート４内が石膏ボード解体材５のみであれば、石膏ボード解体材専用の廃棄物運搬車又は廃棄材置き場に排出する際に、回収シート４内の内容物を分別する必要がない。石膏ボード解体材５のみを包み込んだ回収シート４と他の解体材とを混載した搬送車であっても、回収シート４により石膏ボード解体材５は包み込まれているため、他の解体材と混在することがなく、回収シート４だけを廃棄物処理施設内の所定の石膏ボード解体材専用の廃棄材置き場にまで搬送するできる。また、排出の順番待ちのため、石膏ボード解体材５のみを包み込んだ回収シート４を廃棄物処理施設の敷地内に仮置きをする場合にも、その過程において、他の解体材と混在することがない。石膏ボード解体材５等を排出し廃棄した後、回収シート４は持ち帰り再使用する。
【００１９】
本発明の実施の形態に係る内装解体材の回収方法において、好適に用いられる回収シート４について、図面に基づいて説明する。該回収シート４は、図６に示すように、外形が略方形状のシート本体１１と、該シート本体１１の裏面に設けられ、該シート本体１１の四隅の頂部をそれぞれ内側に折り畳むことによって生じた各隅部における２つの折り畳み辺を連結する隅部連結具１２、１３と、シート本体１１に一端が接続された紐状物１４と、シート本体１１の両端が接続された吊下げ具１７と、シート本体１１から石膏ボード解体材５等の内装解体材を排出するための開閉可能な排出口１８と、を具備してなるものである。
【００２０】
回収シート４には、繰り返しの使用に対する耐久性と、１室分の内装材である石膏ボード等の重量に対する強度と、石膏ボード解体材５等の角や釘等との接触により容易に破損しない強靭性と、屋外にて使用するための耐候性と、容易に折り畳みが可能な可撓容易性などが求められることから、回収シート４のシート本体１１の材質は、例えば、綿帆布等の厚い布が好適である。
【００２１】
前記シート本体１１は、折り畳みが可能であり、例えば図６に示すように、その外形が略正方形状である。なお、該シート本体１１は、その外形が略長方形状でもよく、略方形状であればよい。
【００２２】
図６に示す回収シート４に、前記石膏ボード解体材５等を包み込む手順を主に図７に基づいて説明する。なお、図７は、前記隅部連結具１２、１３等を省略し模式化した図である。まず、図７（ａ）及び図１に示すように、前記室内２の内装材の解体前に回収シート４の前記シート本体１１を広げ、且つ前記排出口１８は閉じた状態で、裏面を裏にして室内３の床３に回収シート４を敷設する。次に、図２に示すように、室内２の内装材の解体により発生してシート本体１１上に散乱した前記石膏ボード解体材５等を、シート本体１１の周囲を持ち上げることによって中央部分に集めながら、図７（ｂ）及び図３に示すように、該シート本体１１の四隅を中央部分に引き寄せる。次に、図７（ｃ）に示すように、シート本体１１の四隅の頂部をそれぞれ内側に折り畳むことによって生じた各隅部における２つの折り畳み辺を連結する。なお、図７（ｂ）および図７（ｃ）においては、シート本体１１の四隅の内、一隅のみ中央部分に引き寄せ折り畳んでいるが、実際には四隅を全部中央部分に引き寄せ折り曲げた後に折り畳む。以上により、図７（ｄ）に示すように、シート本体１１は上面が開放した略立方体を形成する。さらに、該シート本体１１の四隅の各先端部を内方に折曲げ、この折り曲げにより生じる略三角形の面の先端を前記上面の中央部に引き寄せ、図７（ｅ）及び図４に示すように、前記略立方体の上面を形成する。
【００２３】
シート本体１１の裏面には前記隅部連結具１２、１３が設けられる。該隅部連結具１２、１３は、シート本体１１の裏面に設けられ、該シート本体１１の四隅の頂部をそれぞれ内側に折り畳むことによって生じた各隅部における２つの折り畳み辺を連結する。隅部連結具１２、１３は、図７（ｃ）に示すように、シート本体１１の四隅を持ち上げて折り畳んだとき、この状態を維持するために、該シート本体１１の四隅の近傍同士を連結するためのものである。例えば図４及び図６に示すように、該シート本体１１の裏面に、連結部１２と被連結部１３とからなるバックルなどを隅部連結具１２、１３として設ける。シート本体１１の四隅の頂部をそれぞれ内側に折り畳むことによって生じた各隅部における２つの折り畳み辺のうち、一方の折り畳み辺に連結部１２を、他方の折り畳み辺に被連結部１３をそれぞれ設ける。具体的には、シート本体１１の四隅の各隅部をなす２辺から、相対する辺に対して前記略立方体の高さに相当する距離だけ離間した位置に、連結部１２と被連結部１３とをそれぞれシート本体１１の裏面に設ける。シート本体１１の各隅部に対する連結部１２と被連結部１３とを連結することにより、シート本体１１の四隅の頂部をそれぞれ内側に折り畳むことによって生じた各隅部における２つの折り畳み辺を連結する。なお、図４及び図６においては、各折り畳み辺にそれぞれ連結部１２又は被連結部１３を２個ずつ設けているが、１個ずつでも３個以上ずつでもよい。
【００２４】
シート本体１１には、一端が接続された複数の前記紐状物１４が設けられる。例えば図６に示すように、シート本体１１の各外縁の中央部付近に一端が接続された４本の紐状物１４を設ける。相対して接続された紐状物１４を、図４に示すように、それぞれ連結することによって、図７（ｅ）に示すように、前記略立方体がその上面をシート本体１１により閉じられた状態が維持され、包み込まれた石膏ボード解体材５等はシート本体１１に密閉される。
【００２５】
また、シート本体１１の各辺に、折曲げにより生じた前記略立方体の上面を形成する略三角形の面を隣接する略三角形の面に連結する上面連結具１５、１６を設けてもよい。例えば図６に示すように、連結部１５と被連結部１６とからなるバックルなどを上面連結具１５、１６として設ける。該上面連結具１５、１６は、シート本体１１の同一辺の両端部付近に、連結部１５と被連結部１６とをそれぞれ設ける。同一辺の両端部付近に設けた連結部１５と被連結部１６とを連結することにより、前記略立方体の上面である前記略三角形の面のなす辺を隣接する略三角形の面のなす辺に連結し、上面をシート本体１１により閉じられた状態が維持され、石膏ボード解体材５がシート本体１１に密閉される。なお、前記隅部連結具１２、１３及び上面連結具１５、１６は、目的別または部位別に色分けすることにより、誤った締結を防止する。
【００２６】
前記回収シート４には、シート本体１１に両端が接続されたシート本体１１から外側へ突出した複数の前記吊下げ具１７が設けられる。該吊下げ具１７は、例えば図６に示すように、シート本体１１の各外縁から外側に突出する４つの細長い幅広布の両端をシート本体１１に接続することにより設ける。なお、吊下げ具１７は細長い紐状物でもよく、２つでもよい。吊下げ具１７は、回収シート４が前記略立方体に形成されたとき、該略立方体の上面の上方に延出し、且つ該略立方体の上面の各辺に設けられているので、例えば、前記重機６のアーム７先端のフォークグラブ８等に、吊下げ具１７を用いることによって、作業者は回収シート４を容易に取付けることができるとともに、安定した吊下げを行うことができる。
【００２７】
前記回収シート４には、前記シート本体１１から前記石膏ボード解体材５を排出するために開閉可能な前記排出口１８が設けられる。該排出口１８として、例えば図８に示すように、前記シート本体１１の中央部に設けた円形の開口１９に設けられて、該開口１９から下方に垂れ下がった円筒状の布体２０を設ける。該円筒状の布体２０には、ロープ２１を内包した包体２２を円筒状の布体２０の全周に渡り設けられ、包体２２に設けた切り欠きからロープ２１の先端が露出する。この露出したロープ２１の先端を作業者が引っ張り、締結することによって、図９に示すように、排出口１８を巾着状に閉じた状態に固定し閉じることにより、回収シート４に包み込んだ石膏ボード解体材５等が漏れ出すことを防止できる。
【００２８】
一方、回収シート４内の石膏ボード解体材５等を排出するとき、作業者は前記排出口１８を閉じていたロープ２１の締結を解き、円筒状の布体２０を手で引っ張り広げることにより排出口１８を開ける。回収シート４を前記略立方体に形成したときに底面となる領域を前記開口１９が全て含むようにして排出口１８を設けると、底面全てが排出口１８に連通する開口となるため、該排出口１８を開けて前記石膏ボード解体材５を排出する際、回収シート４内の石膏ボード解体材５等が回収シート４内に残存することなく、確実に全ての石膏ボード解体材５等を排出することができるので好適である。
【００２９】
なお、回収シート４内の石膏ボード解体材５等を全て排出した後、前記隅部連結具１２、１３及び前記紐状物１４、１５の連結を解除し、回収シート４を略平面状に戻す。さらに、ロープ２１を引っ張り排出口１８を閉じた後、ロープ２１を締結し固定する。これにより、回収シート４は排出口１８が閉じた略平面状となり、回収シート４の再使用が可能になる。
【００３０】
【発明の効果】
上記の説明から明らかなように、請求項１の内装解体材の回収方法によれば、建築物の内装材の解体前に内装材を解体する室内の床に回収シートを敷設し、室内の内装材の解体により発生して回収シート上に散乱した内装解体材を包み込むため、前記室内の内装材の解体により発生した全ての内装解体材を容易かつ確実に集めることができるので、作業能率の悪い人手作業であった内装解体材の掻き集め作業に対する作業者の負担を軽減することができるとともに、内装解体材の掻き集め作業の作業達成度を向上させることができるので、解体材の分別率が向上し、分別解体の遵守につながる。その結果、解体材処理費の削減を始めとする解体工事費全体の削減が達成できる。
【００３１】
さらにまた、回収シートは折り畳み可能であるため、折り畳むことによりコンパクト化するので、作業者が一人で室内に回収シートを運び入れることができる。
【００３２】
さらにまた、回収シート上に散乱した内装解体材を回収シートの周囲を持ち上げることによって中央部分に集め、且つ該回収シートの四隅を折り畳んで連結することによって、内装解体材を包み込むので、作業者が特別な知識や道具を必要とせず、回収シートに内装解体材を包み込むことができる。
【００３３】
さらにまた、内装解体材を包み込んだ回収シートを、重機により室内から建築物の屋外へ搬出するため、従来のように内装解体材を作業者が屋外に搬出する必要がなくなるので、作業能率の悪い人手作業であった内装解体材の搬出を解消することができるとともに、内装解体材の搬出作業の作業達成度を向上させることができるので、解体材の分別率が向上し、分別解体の遵守につながる。その結果、解体材処理費の削減を始めとする解体工事費全体の削減が達成できる。
【００３４】
さらにまた、内装解体材廃棄場にて内装解体材を包み込んだ回収シートから内装解体材を排出するまで、内装解体材は回収シートに包み込まれているので、容易に外にこぼれ出すことがない。これにより、回収シートによって包み込まれた内装解体材は他の解体物と混在する恐れがないため、例えば、他の解体材と同じ搬送車に混載することができるとともに、排出の順番待ちのため廃棄物処理施設の敷地内に仮置きをすることができ、さらに、周囲の環境に悪影響を及ぼすことがないため、建築物の敷地内等に仮置きをすることができる。
【００３５】
請求項２の回収シートによれば、該シート本体の裏面に設けられ、シート本体の四隅の頂部をそれぞれ内側に折り畳むことによって生じた各隅部における２つの折り畳み辺を連結する隅部連結具を回収シートが具備しているので、該隅部連結具によりシート本体の四隅が連結され、内装解体材はシート本体に包み込まれ容易に外にこぼれ出すことがない。これにより、内装解体材を包み込んだ回収シートは、他の解体物と混在する恐れがないため、例えば、他の解体材と同じトラックに混載することができるとともに、排出の順番待ちのため廃棄物処理施設の敷地内に仮置きをすることができ、さらに、周囲の環境に悪影響を及ぼすことがないため、建築物の敷地内等に仮置きをすることができる。また、作業者は特別な知識や道具を必要とせず、内装解体材をシート本体に包み込むことができる。
【００３６】
さらにまた、シート本体は折り畳み可能であるため、折り畳むことにより回収シートはコンパクト化するので、作業者が一人で建築物の中に回収シートを運び入れることができる。
【００３７】
さらにまた、シート本体から内装解体材を排出するために開閉可能な排出口を回収シートが具備しているので、排出口を開けることにより、シート本体内に包み込んだ内装解体材を容易に排出することができるとともに、排出口を閉じることにより、シート本体内に包み込んだ内装解体材が漏れ出すことを防止できる。
【００３８】
さらにまた、シート本体に一端が接続された紐状物を回収シートが具備しているので、作業者は特別な知識や道具を必要とせず、シート本体に接続された紐状物を連結することによりシート本体に包み込んだ内装解体材を密閉することができる。
【００３９】
さらにまた、シート本体の各辺に両端が接続された吊下げ具を回収シートが具備しているので、吊下げ具によって、例えば、作業者は容易に回収シートを重機に取付け吊下げることができる。
【図面の簡単な説明】
【図１】本発明の実施の形態に係る内装解体材の回収方法において、回収シートを床に敷設した状態を説明する図である。
【図２】床に敷設した回収シート上に石膏ボード解体材が散乱した状態を示す図である。
【図３】石膏ボード解体材が散乱した回収シートの四隅を中央部分に寄せ集めた状態を示す図である。
【図４】石膏ボード解体材等を包み込んだ回収シートを示す図である。
【図５】重機により建築物の外装材及び構成体を解体する際に石膏ボード解体材等を包み込んだ回収シートが現われた状態を示す図である。
【図６】本発明の実施の形態に係る回収シートの裏面図である。
【図７】石膏ボード解体材等を回収シートに包み込む手順を説明する図である。
【図８】排出口を開けた回収シートの斜視図である。
【図９】排出口を閉じた回収シートの斜視図である。
【符号の説明】
１  建築物
２  室内
３  床
４  回収シート
５  石膏ボード解体材（内装解体材）
６  重機
７  アーム
８  フォークグラブ
１１  シート本体
１２、１３  隅部連結具
１４  紐状物
１５、１６  上面連結具
１７  吊下げ具
１８  排出口
１９  開口
２０  円筒状の布体
２１  ロープ
２２  包体
【図１】
2004360203.tif 000003
【図２】
2004360203.tif 000004
【図３】
2004360203.tif 000005
【図４】
2004360203.tif 000006
【図５】
2004360203.tif 000007
【図６】
2004360203.tif 000008
【図７】
2004360203.tif 000009
【図８】
2004360203.tif 000010
【図９】
2004360203.tif 000011